(57)【要約】【課題】基板ケースの外側からの不正操作により、基板ケース内の制御基板に接続された電子デバイスを出し入れ交換できないようにした基板ケースを提供する。【解決手段】ケース本体部材５０の開口部とケース蓋部材６０の開口部とを合わせるように係合させて、内部にパチンコ機ＰＭの制御をなす電子デバイス３２を配設した制御基板３１を収容する。この基板ケースにおいて、ケース蓋部材６０が、制御基板３１上に配設された電子デバイス３２と対向する位置に、ケース蓋部材６０の内側に形成された板状の少なくとも一つの不正防止リブ８０を有して構成される。そして、ケース本体部材５０とケース蓋部材６０とが係合されて内部に制御基板３１を収容したときに、電子デバイス３２のケース蓋部材６０側の表面と不正防止リブ８０の電子デバイス３２側の端部とが近接対向するように構成される。【選択図】図７
2008142116.tif 000002
【特許請求の範囲】
【請求項１】
本体部材の開口部と蓋部材の開口部とを合わせるように係合させて、内部に遊技機の制御をなす電子デバイスを配設した制御基板を収容する基板ケースであって、
前記蓋部材が、前記制御基板上に配設された前記電子デバイスと対向する位置に、前記蓋部材の内側に形成された板状の少なくとも一つの不正防止リブを有し、
前記本体部材と前記蓋部材とが係合されて内部に前記制御基板を収容したときに、前記電子デバイスの前記蓋部材側の表面と前記不正防止リブの前記電子デバイス側の端部とが近接対向するように構成された基板ケース。
【請求項２】
前記不正防止リブの前記電子デバイス側の端部が凹部状に形成され、前記電子デバイスの前記表面及びその両側面を囲んで前記凹部状の端部が近接対向するように構成された請求項1に記載の基板ケース。
【請求項３】
前記不正防止リブの前記制御基板に対向した端部が前記制御基板に近接対向するように構成された請求項１もしくは請求項２に記載の基板ケース。
【発明の詳細な説明】
【技術分野】
【０００１】
本発明は、内部に基板が保持されて遊技盤の裏面側に取り付けられる基板ケースに関する。
【背景技術】
【０００２】
パチンコ機やスロットマシン等の遊技機では、この遊技機の作動を制御する制御基板が設けられている。例えば、パチンコ遊技機では、外枠に対して開閉可能に組み付けられた前枠裏側の収容枠に遊技盤等が装備され、この遊技盤に制御基板が取り付けられている。スロットマシンにおいても同様に、開閉カバーの裏面に制御基板が取り付けられている。
【０００３】
これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたROMが搭載され、この遊技機の作動を制御する中枢制御装置としての役割を有している。このため、制御基板は、偽造ROMへの差し替え等の不正改造を防止するために、基板ケース内に収容されるとともに、この基板ケースはケースを開いたときにその痕跡が残るような不正開放（若しくは、不正着脱）の防止手段が設けられて構成されている（例えば、特許文献1参照）。
【０００４】
【特許文献１】特開２０００−７０５２１号公報
【発明の開示】
【発明が解決しようとする課題】
【０００５】
しかしながら、不正開放防止機構が設けられていたとしても、例えば、基板ケースが本体部材と蓋部材とから構成されている場合、この蓋部材の不正開放防止機構を含む広範囲の表面においては、外側から前記表面をカッターもしくは半田ごて等を用いて容易に切り取ることができ、外観から不正が行われたことが発見されやすいというリスクを負えば、制御基板上の純正電子デバイス（例えばＣＰＵ、ＲＯＭ、ＲＡＭ等）が、遊技データや入賞確率データ等を不正に改ざんされた不正電子デバイスに取り換えられるという問題がある。また、本体部材と蓋部材との接合部が無理に押し開けられることがあり、その押し開けによりできた隙間から針金等の道具が差し込まれて、上記のような不正行為が行われるという問題がある。
【０００６】
本発明はこのような課題に鑑みてなされたものであり、基板ケースの外側からの不正操作により、基板ケース内の制御基板に接続された電子デバイスを出し入れ交換できないようにした基板ケースを提供することを目的とする。
【課題を解決するための手段】
【０００７】
上記課題を解決するために、本発明に係る基板ケース（例えば、実施形態における主基板ケース１００）は、本体部材（例えば、実施形態におけるケース本体部材５０）の開口部と蓋部材（例えば、実施形態におけるケース蓋部材６０）の開口部とを合わせるように係合させて、内部に遊技機（例えば、実施形態におけるパチンコ機PM）の制御をなす電子デバイス（例えば、実施形態における電子デバイス３２）を配設した制御基板（例えば、実施形態における主制御基板３１）を収容する。この基板ケースにおいて、蓋部材が、制御基板上に配設された電子デバイスと対向する位置に、蓋部材の内側に形成された板状の少なくとも一つの不正防止リブ（例えば、実施形態における不正防止リブ８０）を有して構成される。そして、本体部材と蓋部材とが係合されて内部に制御基板を収容したときに、電子デバイスの蓋部材側の表面と不正防止リブの電子デバイス側の端部とが近接対向するように構成される。
【０００８】
このような本発明に係る基板ケースにおいて、不正防止リブの電子デバイス側の端部が凹部状に形成され、電子デバイスの前記表面及びその両側面を囲んで前記凹部状の端部が近接対向するように構成されることが好ましい。
【０００９】
また、不正防止リブの制御基板に対向した端部が制御基板に近接対向するように構成されることが好ましい。
【発明の効果】
【００１０】
本発明に係る基板ケースを以上のように構成すると、外側から蓋部材の表面をカッターもしくは半田ごて等を用いて切断しようとした場合に、不正防止リブも一緒に切断しなければならずその分の余計な時間が必要になるので、このように制御基板から電子デバイスを不正に着脱するというような行為を制止することができる。さらに、不正防止リブの端部が電子デバイスと近接して保持されるので、本体部材と蓋部材とを無理やり押し開けてもしくは不正防止リブが取り付けられてない蓋部材の表面を切断して、不正用器具を差し込んで電子デバイスを不正に着脱するというような行為を制止することができる。
【００１１】
このとき、不正防止リブの電子デバイス側の端部を電子デバイスの形状に対応するように凹部状に形成することにより、不正防止リブの凹部状の端部が電子デバイスを囲むように近接して保持されるので、電子デバイスを着脱した際にその場から移動させることが困難となり、上記のように不正用器具を差し込んで電子デバイスを不正に着脱するというような不正行為を制止することができる。
【００１２】
また、不正防止リブの制御基板に対向した端部が制御基板と近接して保持されるので、不正防止リブを切断する際にカッターもしくは半田ごてによって制御基板を破損させてしまう危険があるので、蓋部材の表面を切断して電子デバイスを不正着脱するというような不正行為を制止することができる。
【発明を実施するための最良の形態】
【００１３】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１４】
パチンコ機ＰＭは、外郭方形枠サイズに構成された縦向きの固定保持枠を成す外枠１の開口前面に、これに合わせた方形枠サイズに構成されて開閉搭載枠を成す前枠２が互いの左側縁部に配設された上下のヒンジ機構３ａ，３ｂにより横開き開閉及び着脱が可能に取り付けられ、常に右側縁部に設けられた施錠機構４を利用して外枠１に閉鎖施錠された状態で保持される。
【００１５】
前枠２の各部には、パチンコ遊技を展開する遊技展開部材として、前枠２の前側面域に合わせた方形状のガラス扉５及び球皿６が正面左側部に設けられたヒンジ機構７ａ，７ｂ，７ｃを利用して横開き開閉及び着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１６】
なお、遊技盤１０は、板厚１９ｍｍ程度の積層合板を図示する所定形状に切断及びルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１７】
遊技領域ＰＡには、多数本の遊技釘とともにランプ風車や一般風車等の風車２１、一般入賞具や始動具並びに大入賞口を備えたアタッカー等の入賞具２２、及び遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチ又は始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１８】
以上のように構成されたパチンコ機ＰＭは、前枠２、ガラス扉５及び球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置（図示せず）により１球ずつ遊技盤１０の遊技領域ＰＡに打ち出され、以降パチンコゲームが展開される。
【００１９】
遊技盤１０の裏面側には、パチンコ機ＰＭ全体の制御を行う主制御基板３１（図４参照）が収容された主基板アッセンブリ３０や、画像表示装置２３に表示される画像の制御を行う画像制御基板（図示せず）が収容された画像制御基板アッセンブリ４０が取り付けられている。それでは、図２及び図３を参照して、遊技盤１０の裏面側に取り付けられた主基板アッセンブリ３０及び画像制御基板アッセンブリ４０について説明する。ここで、図２は遊技盤１０の背面図であり、図３は遊技盤１０を後方から見た斜視図である。なお、以降の説明においては、図２及び図３の状態を基準にして前後左右、及び上下を定義する（図３参照）。
【００２０】
遊技盤１０の中央部には、画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００２１】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられている。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２２】
次に、主基板アッセンブリ３０について図４〜図７を用いて説明する。ここで、図４は主基板アッセンブリ３０の分解斜視図であり、図５は主基板ケース１００を構成するケース蓋部材６０を示す図であり、図６はケース蓋部材６０と主制御基板３１の要部の対応を示した図であり、図７はケース蓋部材６０と主制御基板３１の要部を拡大した図である。
【００２３】
主基板アッセンブリ３０は、パチンコ機ＰＭの作動を統括的に制御する主制御基板３１と、主制御基板３１を内部に収容する主基板ケース１００とから構成される。さらに、主基板ケース１００は、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。なお、主基板アッセンブリ３０の主基板取付部１５ａ，１５ｂに対する固定は、ケース本体部材５０の左側部から外方に延びた左側固定部５８に取り付けられた左ナイラッチ（登録商標）３６と、ケース蓋部材６０の右側部から外方に延びた右側固定部６８に取り付けられた右ナイラッチ（登録商標）３７とが用いられる（図２，３参照）。
【００２４】
主制御基板３１は、図４に示すように、中央部に配設されたＲＯＭやＲＡＭを内臓のＣＰＵ等の電子デバイス３２や左右に配設された接続コネクタ３３等の電子部品を有して構成される。この主制御基板３１の四隅には、基板取付孔３４が形成されており、基盤取付ネジ３５をこの基板取付孔３４に挿入し、図５に示すケース蓋部材６０の基板取付部６７に対して螺挿してネジ締結するように構成されている。
【００２５】
ケース本体部材５０は、主基板ケース１００が遊技盤１０に取り付けられた状態で後面側に開口を有する短形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、図４に示すように、補強リブ５１ａが縦横に格子状に形成されており、ケース本体部材５０の強度を向上させている。
【００２６】
ケース本体部材５０の本体部材側壁部（図４においては、底部５１の上下の縁部から後方に延びる側壁部）５３，５３のそれぞれには、複数の蓋部材取付溝５４が形成されている。この蓋部材取付溝５４は、後方及びケース本体部材５０の内面側に開口する挿入溝部と左側に延びてケース本体部材５０の内面側に開口する係止溝部とから構成され、図３の状態において下方もしくは上方から見たときに本体部材側壁部５３に対してＬ字状の溝として形成されている。また、本体部材側壁部５３の内側の壁面と平行に、蓋部材取付溝５４のそれぞれと対向するように、蓋部材押圧壁５２が底部５１から後方に板状に延びて形成されている。この蓋部材押圧壁５２の左右方向幅は、蓋部材取付溝５４の左右方向幅と略同一の大きさに形成されており、図３の状態において上方もしくは下方から見たときに、蓋部材押圧壁５２と蓋部材取付溝５４とは重なるように配置されている。
【００２７】
ケース蓋部材６０は、ケース本体部材５０の開口を覆う短形箱状の形状を有しており、ＡＢＳ樹脂やポリカーボネート（ＰＣ）等の透明な樹脂材料を用いて射出成形等の成形手段により一体的に成形される。図５に示すように、このケース蓋部材６０の上下の縁部から前方に延びる側壁部（蓋部材側壁部）６６には、外方（図４においては上下方向）に突出する係止突起部６２が複数形成されている。この係止突起部６２は、上述の蓋部材取付溝５４と同じ数だけ形成されており、その配置間隔も蓋部材取付溝５４と対応している。また、この蓋部材側壁部６６の内側面には、各々の係止突起部６２と対応して内方に突出する押圧突起部６１が形成されている。この押圧突起部６１は、係止突起部６２に対してケース本体部材５０にケース蓋部材６０を取り付けるときにスライド移動させる方向と反対方向にずれて形成されている。
【００２８】
そのため、ケース本体部材５０に対してケース蓋部材６０を取り付けるときは、図３の状態において後方から蓋部材取付溝５４の挿入溝部に係止突起部６２を挿入し、その後、ケース蓋部材６０を左右方向（この実施形態においては左方向）にスライド移動させて係止突起部６２を蓋部材取付溝５４の係止溝部に挿入させることで、係止突起部６２と蓋部材取付溝５４とを嵌合させる。
【００２９】
このとき、係止突起部６２を蓋部材取付溝５４の挿入溝部に挿入した状態では、押圧突起部６１は、蓋部材押圧壁５２の右方に位置するが、この状態からケース蓋部材６０をケース本体部材５０に対して左方にスライド移動させ、係止突起部６２が蓋部材取付溝部５４の係止溝部に挿入させた状態では、蓋部材側壁部６６の外側面と本体部材側壁部５３の内側面とが密接し、押圧突起部６１は本体部材側壁部５３と蓋部材押圧壁５２とに狭持される。
【００３０】
ケース本体部材５０とケース蓋部材６０とを以上のように構成すると、このケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、蓋部材側壁部６６は、押圧突起部６１と蓋部材押圧壁５２とによりケース本体部材５０の内側面に押しつけられて密接しているため、蓋部材側壁部６６を内側に押し込むことができず、係止突起部６２を蓋部材取付溝５４から外すことができない。
【００３１】
主制御基板３１が収容される主基板ケース１００のケース蓋部材６０の内面側底部には、図５，６に示すように、蓋部材側壁部６６の内側の両側部に延びる板状の不正防止リブ８０が設けられている（本実施形態では、２つの不正防止リブ８０が上下方向に並行して形成されている）。この不正防止リブ８０は、ケース本体部材５０にケース蓋部材６０を取り付けて内部に主制御基板３１を収容したときに、主制御基板３１上に配設された電子デバイス３２（取り替えて不正行為を行う対象素子）と対応する位置に、電子デバイス３２の表面（ケース蓋部材６０の内面側底部に対向する面）と近接するように形成されている。
【００３２】
また、この不正防止リブ８０は、図５〜７に示すように、上下の端部が蓋部材側壁部６６の内側の両側部に取り付けらており、ケース蓋部材６０の上下方向長さと略同一である。さらに、主制御基板３１側の端部が電子デバイス３２の形状（主制御基板３１上に配設された状態において、後方側表面及びその両側面の形状）に対応するように凹部状に形成され、ケース蓋部材６０をケース本体部材５０に取り付けたときに、電子デバイス３２（前記表面及びその側面）及び主制御基板３１（電子デバイス３２が配設されている面）近接（例えば、０〜２ｍｍ程度）して保持されるように形成されている。
【００３３】
そして、この不正防止リブ８０は、ケース本体部材５０及びケース蓋部材６０と同様にＡＢＳ樹脂やポリカーボネート（ＰＣ）等の透明な樹脂材料を用いて射出成形等の成形手段によりケース蓋部材６０と一体的に成形される。そのため、電子デバイス３２の前記表面に記載された表記部３２ａの表記内容（社名や製造番号等）が視認可能になっているとともに、万一、電子デバイス３２が不正遊技者によって他の不正制御素子に着脱交換されている場合に、この不正事実を発見し得るようになっている。
【００３４】
ケース本体部材５０の左端部には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０及びケース蓋部材６０は、上述のように、樹脂材料で薄く形成されており容易に撓めることができる。そのため、蓋側仮止部６３の左端側を本体側仮止部５５から離すように撓めることにより本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３５】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。さらに、このようにケース本体部材５０にケース蓋部材６０をスライド移動して取り付ける構成にすると、ケース本体部材５０側に蓋部材取付溝５４を形成し、ケース蓋部材６０に係止突起部６２を形成することで取り付け構造ができるため、主基板ケース１００の構造を簡単にすることができる。
【００３６】
以上のように、主制御基板３１は、主基板ケース１００（ケース本体部材５０及びケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０の主基板ケース１００には不正開放防止機構７０が設けられている。
【００３７】
不正開放防止機構７０は、図４に示すように、ケース本体部材５０の左端側に連結して一体に形成された４つの本体側係合部５６と、ケース蓋部材６０の左端側に切断可能な連結部６５を介し連結して形成された４つの蓋側係合部６４（ケース蓋部材６０から蓋側係合部６４を分離可能である）と、蓋側係合部６４に挿入されて、ケース本体部材５０にケース蓋部材６０を固定保持する４つのストッパ部材７１とから構成される。
【００３８】
ケース蓋部材６０をケース本体部材５０に対してスライド移動させて蓋側係合部６４が本体側係合部５６と対向して重なる状態にすると、蓋側係合部６４に挿入されたストッパ部材７１に設けられた係合爪と本体側係合部５６の設けられた係合凹部とが係合して、本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に連結保持することができる。
【００３９】
このような不正開放機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、連結部６５を切断して蓋側係合部６４をケース蓋部材６０から切り離す必要がある。そのため、主基板ケース１００の解放後は、連結部６５の切断痕跡が明確に残るため、不正な開放を早期に発見できるとともに、不正行為を効果的に抑止できる。
【００４０】
しかしながら、ケース本体部材５０とケース蓋部材６０とが不正解放機構７０により閉止状態で結合保持されている状態で、図７に示すように、ケース蓋部材６０の外面側底部（例えば、点線Ａの部分）をカッターや半田ごて等を用いて切断して、電子デバイス３２を主制御基板３１から取り外そうとした場合、ケース蓋部材６０の外面側底部の他に不正防止リブ８０（例えば、点線Ｂの部分）も一緒に切断しなければならず、不正防止リブ８０を切断する分の余計な時間が必要になるので、このような不正行為を制止することができる。
【００４１】
また、万一、ケース蓋部材６０の外面側底部及び不正防止リブ８０を切断したとしても、不正防止リブ８０と主制御基板３１とが近接（例えば、０〜２ｍｍ）しているので、不正防止リブ８０を切断する際にカッター及び半田ごて等によって主制御基板３１を破損してしまう危険が伴い、その際に電子デバイス３２を不正電子デバイスに交換しても主制御基板３１が作動しないことになり、このような不正行為が意味をなさず効果的に抑止できる。
【００４２】
さらに、万一、前記底部の不正防止リブ８０が取り付けられていない部分を切断して、もしくは連結部６５が切断されない程度においてケース本体部材５０とケース蓋部材６０とを押し開けて、不正用器具を差し入れて電子デバイス３２を不正着脱しようとした場合でも、不正防止リブ８０の電子デバイス３２の形状に対応するように形成された凹部（電子デバイス３２を囲むように近接保持されている）により、電子デバイス３２の主制御基板３１からの着脱行為を制止できる、もしくは主制御基板３１から電子デバイス３２を取り外されたとしてもその位置から電子デバイス３２を取り出す行為を制止することができる。
【００４３】
また、この不正防止リブ８０は、ケース本体部材５０及びケース蓋部材６０と同様にＡＢＳ樹脂やポリカーボネート（ＰＣ）等の透明な樹脂材料を用いて射出成形等の成形手段によりケース蓋部材６０と一体的に成形されるため、電子デバイス３２の表面に記載された表記部３２ａの表記内容（社名や製造番号等）が視認可能になっているとともに、万一、電子デバイス３２が不正遊技者によって他の不正電子デバイスに着脱交換されている場合に、この不正事実を早期に発見することができる。
【００４４】
なお、本発明は上記の実施形態に限定されるものではなく、不正防止リブ８０が電子デバイス３２と対向する位置に近接して形成されるという要旨の範囲内において種々の変形が可能である。例えば、不正防止リブ８０の取り付け方向は、ケース蓋部材６０の左右方向に電子デバイス３２の表面に近接するように形成しても良く、さらに、本実施形態では２つの不正防止リブ８０を設けていたが、１つ以上の不正防止リブ８０を設けることが好ましい。しかし、不正防止リブ８０を多数設けるときは、電子デバイス３２の表面に記載された表記部３２ａの表記内容の視認性が損なわれない程度に、不正防止リブ８０の個数及び板厚で設けることが望ましい。また、本実施形態では、主制御基板３１（電子デバイス３２）において不正防止リブ８０を用いたが、他の基板及び他の電子デバイスにおいても同様に不正防止リブ８０を設けて、このような不正行為を制止することが好ましい。
【図面の簡単な説明】
【００４５】
【図１】本発明に係る遊技機の一例として示すパチンコ機の正面図である。
【図２】上記パチンコ機に設けられた遊技盤の背面図である。
【図３】上記遊技盤の背面図の斜視図である。
【図４】上記パチンコ機に設けられた主基板アッセンブリの分解斜視図である。
【図５】ケース蓋部材を示す図であって、（ａ）は平面図であり、（ｂ）は底面図である。
【図６】制御素子と不正防止リブの対応関係を示す一部破断斜視図である。
【図７】制御素子と不正防止リブの対応関係を示す図であって、（ａ）は主制御基板を収容する主基板ケースの要部拡大一部破断平面図であり、（ｂ）は図７（ａ）のｂ−ｂ線断面図である。
【符号の説明】
【００４６】
ＰＭ  パチンコ機（遊技機）              ３１    主制御基板（制御基板）
３２  電子デバイス                      ３２ａ  表記部
５０  ケース本体部材（本体部材）        ６０    ケース蓋部材（蓋部材）
８０  不正防止リブ                      １００  主基板ケース（基板ケース）
【図１】
2008142116.tif 000003
【図２】
2008142116.tif 000004
【図３】
2008142116.tif 000005
【図４】
2008142116.tif 000006
【図５】
2008142116.tif 000007
【図６】
2008142116.tif 000008
【図７】
2008142116.tif 000009